(57)【特許請求の範囲】
【請求項１】
本体と、前記本体の前面に設けられた第１の扉体と、前記第１の扉体の下側に設けられ、前記第１の扉体とは別々に開閉可能な第２の扉体と、前記第２の扉体を施解錠するロック手段とからなる遊技媒体貸出機であって、
前記第１の扉体の内部に遊技媒体を収納するタンクが設けられ、前記第１の扉体を開放した状態で前記タンクに遊技媒体を補充するように構成され、
前記第２の扉体の内部に遊技媒体を払出す遊技媒体払出機が設けられ、
前記ロック手段は、前記第１の扉体を開放した状態でのみ解錠可能であり、且つ、前記第１の扉体を閉じた状態および開放した状態のいずれの状態でも施錠可能に構成されていることを特徴とする遊技媒体貸出機。
【請求項２】
前記ロック手段は、前記本体に回動自在に設けられたフックと、前記第２の扉体に設けられた係止片と、前記フックを前記係止片に係合するように付勢する付勢手段により構成されていることを特徴とする請求項１記載の遊技媒体貸出機。
【請求項３】
前記付勢手段は、前記フックを前記本体から前記第２の扉体に向けて旋回させる方向に付勢しており、
前記フックを前記付勢手段の付勢力に逆らって前記本体の側へ旋回させると、前記フックと前記係止片との係合が解除されることを特徴とする請求項２記載の遊技媒体貸出機。
【請求項４】
前記第１の扉体は、前記本体の前面に沿って横向きに設けられている回動軸に回転自在に支持されており、
前記第１の扉体の上端を前記本体の前方に向けて倒すと、前記第１の扉体の上部が開口されると共に、前記本体の内部に向かって下り傾斜状になった前記第１の扉体の下端部分と前記第２の扉体の上端部分との隙間から、前記第２の扉体の内側に設けられている前記フックと前記係止片との係合を解除可能になることを特徴とする請求項３記載の遊技媒体貸出機。
【発明の詳細な説明】
【０００１】
【発明の属する技術分野】
本発明は、パチンコ玉や遊技用メダルなどの遊技媒体を払出す遊技媒体貸出機に関するものであり、詳しくは複数の扉体を前面に設けた遊技媒体貸出機に関するものである。
【０００２】
【従来の技術】
従来の遊技媒体貸出機の一例として、メダル貸出機の構成について図面に基づき説明する。
【０００３】
図４は、従来のメダル貸出機の正面図、図５は、従来のメダル貸出機の側面図である。
【０００４】
図４、５に示すように、メダル貸出機２１は、本体２２の前面に開放扉２３、２６、２８を備えられている。ここに、各開放扉２３、２６、２８の内部には、紙幣投入トレイ２４に投入された紙幣の真偽を判別するとともに真札を収納する紙幣識別機３４、遊技用メダルを収納するメダルタンク３５、メダル受け皿３０に遊技用メダルを払出すメダル払出機３６がそれぞれ設けられている。また、各開放扉２３、２６、２８には、ロック２５、２７、２９が備えられている。
【０００５】
上記構成のメダル貸出機２１では、各開閉扉２３、２６、２８に対して、それぞれロック２５、２７、２９が必要なため、コストの低減に対して障害になっていた。
【０００６】
【発明が解決しようとする課題】
本発明は、パチンコ玉や遊技用メダルなどの遊技媒体を払出す遊技媒体貸出機において、前面に設けられた各開閉扉にロック機構を備えることによるコスト高、及び施解錠の操作性の向上をその目的とする。
【０００７】
【課題を解決するための手段】
請求項１記載の本発明は、本体と、前記本体の前面に設けられた第１の扉体と、前記第１の扉体の下側に設けられ、前記第１の扉体とは別々に開閉可能な第２の扉体と、前記第２の扉体を施解錠するロック手段とからなる遊技媒体貸出機であって、前記第１の扉体の内部に遊技媒体を収納するタンクが設けられ、前記第１の扉体を開放した状態で前記タンクに遊技媒体を補充するように構成され、前記第２の扉体の内部に遊技媒体を払出す遊技媒体払出機が設けられ、前記ロック手段は、前記第１の扉体を開放した状態でのみ解錠可能であり、且つ、前記第１の扉体を閉じた状態および開放した状態のいずれの状態でも施錠可能に構成されていることを特徴とする。
【０００８】
また、請求項２記載の本発明は、請求項１記載の遊技媒体貸出装置において、前記ロック手段は、前記本体に回動自在に設けられたフックと、前記第２の扉体に設けられた係止片と、前記フックを前記係止片に係合するように付勢する付勢手段により構成されていることを特徴とする。
【０００９】
また、請求項３記載の本発明は、請求項２記載の遊技媒体貸出装置において、前記付勢手段は、前記フックを前記本体から前記第２の扉体に向けて旋回させる方向に付勢しており、前記フックを前記付勢手段の付勢力に逆らって前記本体の側へ旋回させると、前記フックと前記係止片との係合が解除されることを特徴とする。
【００１０】
さらに、請求項４記載の本発明は、請求項３記載の遊技媒体貸出機において、前記第１の扉体は、前記本体の前面に沿って横向きに設けられている回動軸に回転自在に支持されており、前記第１の扉体の上端を前記本体の前方に向けて倒すと、前記第１の扉体の上部が開口されると共に、前記本体の内部に向かって下り傾斜状になった前記第１の扉体の下端部分と前記第２の扉体の上端部分との隙間から、前記第２の扉体の内側に設けられている前記フックと前記係止片との係合を解除可能になることを特徴とする。
【００１１】
【発明の実施の形態】
本発明に係る遊技媒体貸出機の一実施の形態を図面に基づいて詳細に説明する。
【００１２】
図１は、本発明に係るメダル貸出機の正面図、図２は、本発明に係るメダル貸出機の側面図、図３は、本発明に係るメダル貸出機の側面図である。
【００１３】
図１乃至３に示すように、メダル貸出機１は、本体２と、本体２の前面に設けられた開放扉３、６、８と、本体２の内部に設けられた紙幣識別機１３、メダルタンク１４、メダル払出機１５とから構成されている。また、回動軸１０、１１、１２は、本体２内側に固定されている。なお、開放扉６、８は、それぞれ請求項記載の第１、第２の扉体に相当するものである。
【００１４】
図１乃至３において、開放扉３は、回動軸１０に回動自在に支持されるとともに、上部にはロック５が備えられており、ロック５を施錠することにより本体２に固定されるようになっている。開放扉３の内側には、紙幣の真偽を識別するとともに、真札を収納する紙幣識別機１３が設けられている。この紙幣識別機１３の前方には、紙幣投入トレイ４が備えられており、開放扉３に形成された開口（図示せず）から突出するようになっている。
【００１５】
また、開放扉６は、回動軸１１に回動自在に支持されるとともに、ロック７にて本体２に固定されている。開放扉６の内側には、遊技用メダルを収納するメダルタンク１４が設けられている。上記のロック５、７は、いずれもキーにて施解錠するようになっている。
【００１６】
さらに、開放扉８は、回動軸１２に回動自在に支持されており、前面下方にはメダル受け皿９が設けられている。開放扉８の内側上部には、本体２の奥側に向かって水平方向に延びる係止片１７が形成されており、本体２に回動自在に支持されるとともに矢印Ｃの反対方向に付勢されたフック１６とでロック手段を構成するようになっている。なお、開放扉８は、係止片１７の係止片１７aにフック１６が係合することにより施錠され、本体２に固定されるようになっている。開放扉８の内部には、メダルタンク１４に収納された遊技用メダルをメダル受け皿９に送出するメダル払出機１５が設けられている。
【００１７】
次に、上記構成のメダル貸出機１について、動作を説明する。
【００１８】
まず、遊技用メダルの払出動作を説明する。紙幣投入トレイ５に千円札を投入すると、紙幣識別機１３の内部に搬送され、搬送中に当該紙幣が真札であるか否かを判別する。ここで、真札と判断されない場合には、当該紙幣は、紙幣投入トレイ５に払い戻される。一方、真札と判断された場合、紙幣識別機１３内に設けられた紙幣金庫（図示せず）に収納されるとともに、制御部からメダル払出機１５に、遊技用メダルの払出をするための制御信号を送出する。メダル払出機１５は、制御信号に基づき投入金額に応じた数の遊技用メダルをメダル受け皿９に払出す。
【００１９】
次に、紙幣識別機１３の紙幣金庫内に収納された紙幣を回収するには、まずキーにてロック５を解錠し、開放扉３を回動軸１０を中心に前方（矢印Ａの方向）に回動させる。このように開放扉３を開放した状態で、紙幣金庫を取り出すとともに、交換用の紙幣金庫を装着する。回収作業が終了すると、開放扉３を開放時と逆方向（矢印Ａの反対方向）に回動させて開口を塞ぎ、ロック５を施錠する。
【００２０】
次に、メダルタンク１４に遊技用メダルを補充する動作を説明する。まずロック７を解錠し、開放扉６を矢印Ｂの方向に回動させることにより、開放扉６の上方を開口させる。この時開放扉６は、図３に示す状態、すなわち内部２に向かって下り傾斜状に保持されるようになっている。この状態で、遊技用メダルを開放扉６の上部に形成された開口に投入することによって、遊技用メダルは開放扉６上を滑り、メダルタンク１４内に補充される。遊技用メダルの補充作業が終了すると、開放扉６を矢印Ｂの反対方向に回動させ、ロック７を施錠する。
【００２１】
メダル払出機１５のメンテナンスを行う場合、開放扉６を図３に示すように開放した状態で、係止片１７の係合孔１７ａと係合しているフック１６を矢印Ｃの方向に回動させ、開放扉８を前方（矢印Ｄの方向）に回動させる。これにより、メダル払出機１５の前面が開口され、メダル払出機１５を前方に引き出すことにより、メンテナンスが可能になる。なお、フック１６は、矢印Ｃの反対方向に付勢されているため、開放扉８を開放した状態でも、開放扉８を閉じた位置（図３の状態）に来るようになっている。メダル払出機１５のメンテナンスが終了すると、開放扉８を矢印Ｄの反対方向に回動させて本体２に向かって押し込むことにより係止片１７の係止孔１７ａとフック１６とが係合して、開放扉８が施錠される。
【００２２】
上記構成のメダル貸出機１では、開放扉６が閉じられた状態であっても、開放扉８を閉じることができるため、開放扉６を閉じて施錠した状態であっても、開放扉８を閉じて施錠することもできる。
【００２３】
【発明の効果】
本発明によれば、本体と、前記本体の前面に設けられた第１の扉体と、前記第１の扉体の上側または下側に設けられた第２の扉体と、前記第２の扉体を施解錠するロック手段とからなる遊技媒体貸出機であって、前記ロック手段は、前記第１の扉体を開放した状態で解錠可能に構成したので、従来の遊技媒体貸出機と比較して、ロックの個数を減少させることができる。したがって、メダル貸出機のコストダウンを図ることができる。
【００２４】
また、前記ロック手段は、前記本体に回動自在に設けられたフックと、前記第２の扉体に設けられた係止片と、前記フックを係止片に係合するように付勢する付勢手段により構成したので、簡単な構成にてロック手段を構成することができる。
【図面の簡単な説明】
【図１】本発明に係るメダル貸出機の正面図である。
【図２】本発明に係るメダル貸出機の側面図である。
【図３】本発明に係るメダル貸出機の側面図である。
【図４】従来のメダル貸出機の正面図である。
【図５】従来のメダル貸出機の側面図である。
【符号の説明】
１  メダル貸出機
２  本体
３  開放扉
４  紙幣投入トレイ
５  ロック
６  開放扉
７  ロック
８  開放扉
９  メダル受け皿
１０  回動軸
１１  回動軸
１２  回動軸
１３  紙幣識別機
１４  メダルタンク
１５  メダル払出機
１６  フック
１７  係合片
１７ａ  係合孔
【図１】
0004673467.tif 000002
【図２】
0004673467.tif 000003
【図３】
0004673467.tif 000004
【図４】
0004673467.tif 000005
【図５】
0004673467.tif 000006